(57)【特許請求の範囲】
【請求項１】
車体上のバッテリーケースの上面開口部に嵌合するバッテリーカバーが錠締されるようにした防爆型フォークリフトにおいて、前記バッテリーケースの外周面に設けたプラグがプラグカバーで覆われ、該プラグカバーの一側縁がヒンジを介してバッテリーケースの外周面に開閉可能に連結されると共に、そのプラグカバーの他側縁上部が前記バッテリーケースと該バッテリーケースの上面開口部に嵌合するバッテリーカバーとにより挟持されていることを特徴とする防爆型フォークリフト。
【請求項２】
前記プラグカバーの他側縁上部と前記バッテリーカバーとの間に弾性材が介在されていることを特徴とする請求項１記載の防爆型フォークリフト。
【請求項３】
前記プラグカバーの一側縁から上方に延びる延長部が、前記バッテリーケースと該バッテリーケースの上面開口部に嵌合するバッテリーカバーとの間の隙間に挿入されており、プラグカバーを開動させた状態で前記バッテリーカバーを前記バッテリーケースの上面開口部に嵌合させたときに、そのバッテリーカバーが前記延長部に当接するようにしたことを特徴とする請求項１または２記載の防爆型フォークリフト。
【発明の詳細な説明】
【０００１】
【発明の属する技術分野】
本発明は、例えば２種危険場所などの爆発の危険がある場所で使用する防爆型フォークリフトに関する。
【０００２】
【従来の技術】
従来、防爆型フォークリフトの一例として図１２に示すものがある。これは、車体１の前部に立設したマスト２に昇降体３を昇降可能に配置すると共に、該昇降体３にフォーク４を取り付けたものであって、該フォーク４によりパレットＰを介してワークＷを持ち上げる。なお、５はハンドル５ａや操作レバー５ｂなどを有する操作部、６は座席であって、蓄電池を収納するバッテリーケース７の上面開口部７ａに嵌合するバッテリーカバー８上に設けられている。
【０００３】
また、バッテリーケース７の外周面に設けた通電用プラグ９Ａ及び充電用プラグ９Ｂ（図１参照）がプラグカバー１０で覆われ、そのプラグカバー１０とバッテリーカバー８とが労働省産業安全研究所による工場電機設備防爆指針に基づく２つの錠締装置（図示せず）によりそれぞれバッテリーケース７に錠締されている。
【０００４】
【発明が解決しようとする課題】
上記従来の構成では、プラグカバー１０とバッテリーカバー８とがそれぞれ別個の錠締装置によりバッテリーケース７に錠締されているため、構造が複雑で製作費が高くつき、また、錠締及び解錠に手間がかかって面倒であるという難点がある。
【０００５】
本発明は、上記従来の欠点に鑑み、防爆のための指針に基づく要求を満足させ且つ構造が簡単で製作費が安くつき、錠締及び解錠の作業を容易に行なうことができるようにした防爆型フォークリフトを提供することを目的としている。
【０００６】
【課題を解決するための手段】
上記目的を達成するため、請求項１記載の発明は、車体上のバッテリーケースの上面開口部に嵌合するバッテリーカバーが錠締されるようにした防爆型フォークリフトにおいて、前記バッテリーケースの外周面に設けたプラグがプラグカバーで覆われ、該プラグカバーの一側縁がヒンジを介してバッテリーケースの外周面に開閉可能に連結されると共に、そのプラグカバーの他側縁上部が前記バッテリーケースと該バッテリーケースの上面開口部に嵌合するバッテリーカバーとにより挟持されていることを特徴としている。
【０００７】
上記構成によれば、錠締装置によりバッテリーカバーをバッテリーケースに錠締するだけで、プラグカバーの他端縁上部もバッテリーケースとバッテリーカバーとにより挟持されて、そのプラグカバーが錠締されるから、１つの錠締装置だけでバッテリーカバーとプラグカバーとを錠締することができ、構成が簡単で製作費が安くつく。
【０００８】
請求項２記載の発明は、請求項１記載の発明において、前記プラグカバーの他側縁上部と前記バッテリーカバーとの間に弾性材が介在されていることを特徴としている。
【０００９】
上記構成によれば、弾性材によりプラグカバーの他側縁上部をバッテリーケースに押しつけて、そのプラグカバーを確実に固定することができる。
【００１０】
請求項３記載の発明は、請求項１または２記載の発明において、前記プラグカバーの一側縁から上方に延びる延長部が、前記バッテリーケースと該バッテリーケースの上面開口部に嵌合するバッテリーカバーとの間の隙間に挿入されており、プラグカバーを開動させた状態で前記バッテリーカバーを前記バッテリーケースの上面開口部に嵌合させたときに、そのバッテリーカバーが前記延長部に当接するようにしたことを特徴としている。
【００１１】
上記構成によれば、プラグカバーを開動させた状態でバッテリーカバーをバッテリーケースの上面開口部に嵌合させると、該バッテリーカバーがプラグカバーの延長部に当接されるので、そのプラグカバーの閉め忘れを確実に防ぐことができる。
【００１２】
【発明の実施の形態】
図１〜図９は本発明の実施の一形態である防爆型フォークリフトの要部を示すものであって、プラグカバー１０の一側縁１０ａがヒンジ１２を介してバッテリーケース７の外周面に固着した矩形板状基板１３に開閉可能に連結され、バッテリーカバー８をバッテリーケース７に錠締する錠締装置１４が設けられている。なお、１５はプラグカバー１０と基板１３との間の空隙を塞ぐゴム板であって、該ゴム板１５の貫通孔に通電用プラグ９Ａ及び充電用プラグ９Ｂのコード９ａが挿通されている。上記以外の構成は図１２に示す従来例とほぼ同一であるから、同一部分に同一符号を付してその説明を省略する。
【００１３】
前記プラグカバー１０は、横断面略コ字状に形成されており、その一側縁１０ａが後方に直角に折り曲げられると共に、その他側縁１０ｂが後方に略Ｌ字状に折り曲げられて基板１３に当接され、他側縁１０ｂから上方に延びる他側縁上部１６がバッテリーケース７と該バッテリーケース７の上面開口部７ａに嵌合するバッテリーカバー８の前壁部８ａとにより挟持されている。
【００１４】
上記構成によれば、錠締装置１４によりバッテリーカバー８をバッテリーケース７に錠締するだけで、プラグカバー１０の他側縁上部１６もバッテリーカバー８とバッテリーケース７とで挟持されて、該プラグカバー１０を錠締することができ、また、メンテナンス時には、錠締装置１４による錠締を解除し、バッテリーカバー８を引き上げ、プラグカバー１０を開動させるだけで、プラグ９Ａ，９Ｂを外部に露出させることができる。
【００１５】
この場合、プラグカバー１０及びバッテリーカバー８を錠締するのに１つの錠締装置１４があればよく、構成が簡単で製作費が安くつく。
【００１６】
図５に示すように、バッテリーカバー８の前壁部８ａの内面にゴム材などからなる弾性材１７が固着されており、該弾性材１７により他側縁上部１６を基板１３に押し付けるようになっており、これによって、プラグカバー１０を確実に固定することができる。
【００１７】
図４に示すように、プラグカバー１０の一側縁１０ａから上方に延びる延長部１８が、バッテリーカバー８の前壁部８ａと基板１３との間の隙間αに挿入されており、図２及び図６の仮想線で示すように、プラグカバー１０を開動させることにより、図７に示すように、延長部１８がバッテリーケース７の側面から所定間隔βだけ突出されるから、バッテリーカバー８をバッテリーケース７の上面開口部７ａに嵌合させたときに、そのバッテリーカバー８の側壁部８ｂが延長部１８に当接され、これによって、プラグカバー１０の閉め忘れを確実に防ぐことができる。
【００１８】
前記錠締装置は、図８及び図９に示すように、バッテリーカバー８に固定枠２４を介して固定したケース２５と、該ケース２５内に垂直方向に沿って回転可能に配置した回転軸２６と、該回転軸２６に突設したロック片２７と、該ロック片２７に対向してバッテリーケース７の外周面に突設した被係合片２８とを有し、固定枠２４及びケース２５の天板部に回転軸２６と同心状の操作孔２９が貫設されており、該操作孔２９を通って回転軸２６の上面に形成した角形孔２６ａに操作工具３０の角形先端部を係合させ、該操作工具３０を９０°回転操作することにより、ケース２５内に収納（図９仮想線参照）されているロック片２７をケース２５外に突出させて被係合片２８に係合させるようにしている。
【００１９】
上記構成によれば、ケース２５の操作孔２９を通って回転軸２６に係合させた操作工具３０を回転操作するだけで、バッテリーカバー８をバッテリーケース７に確実に係止することができ、また、その逆の手順で容易に解錠することができる。更に、操作孔２９の径Ｄ及び回転軸２６までの深さＥを所定通りに設定することにより、回転軸２６の回転操作を通常の工具ではできないようにして、労働省産業安全研究所による工場電機設備防爆指針に基づく要求を充分に満足させることができる。
【００２０】
図１０及び図１１は錠締装置１４の変形例を示すものであって、係止具１９と、係合枠２０と、ボルト２１とを有している。なお、プラグカバー１０の構成は図１〜図９に示すものと同一であるから、同一部分に同一符号を付してその説明を省略する。
【００２１】
前記係止具１９は、バッテリーケース７の外周面に固着した基台２２に取り付けた支持枠１９ａと、該支持枠１９ａに枢着軸１９ｂを介して回動可能に枢着したレバー１９ｃと、該レバー１９ｃの先端に設けたリング１９ｄと、バッテリーカバー８の前壁部８ａに固着した略Ｕ字状の係止片１９ｅとからなり、リング１９ｄを係止片１９ｅに係合させた後、レバー１９ｃを引き下ろすことにより、バッテリーカバー８をバッテリーケース７に係止する。
【００２２】
前記係合枠２０は、中央部を略コ字状に折曲して凹部２０ａを設けた金属板からなり、その一端部に貫設した貫通孔２０ｂをレバー１９ｃに係合することにより、該レバー１９ｃを固定する。
【００２３】
前記ボルト２１は、労働省産業安全研究所による工場電機設備防爆指針に基づいて、ＪＩＳ  Ｂ  １１７６（六角穴付きボルト）やＪＩＳ  Ｂ  １１８０（六角ボルト）が使用され、凹部２０ａ内に挿入されて係合枠２０を貫通して基台２２のねじ孔にねじ込まれることにより、係合枠２０をバッテリーケース７の外周面に止着する。
【００２４】
上記構成によれば、係止具１９によりバッテリーカバー８をバッテリーケース７に係止した後、該係止具１９のレバー１９ｃに係合枠２０を係合させ、該係合枠２０の凹部２０ａにボルト２１を挿入し、該ボルト２１により係合枠２０をバッテリーケース７の外周面に止着するだけで、バッテリーカバー８を確実に錠締することができ、また、その逆の手順で容易に解錠することができる。更に、凹部２０ａの縦幅Ｄ１及び横幅Ｄ２と、その凹部２０ａのボルト２１までの深さＥとを所定通りに設定することにより、ボルト２１のねじ込み状態を通常の工具では解除できないようにして、労働省産業安全研究所による工場電機設備防爆指針に基づく要求を充分に満足させることができる。
【００２５】
【発明の効果】
請求項１記載の発明によれば、錠締装置によりバッテリーカバーをバッテリーケースに錠締するだけで、プラグカバーの他端縁上部もバッテリーケースとバッテリーカバーとにより挟持されて、プラグカバーが錠締されるから、１つの錠締装置だけでバッテリーカバーとプラグカバーとを錠締することができ、構成が簡単で製作費が安くつく。
【００２６】
請求項２記載の発明によれば、弾性材によりプラグカバーの他側縁上部をバッテリーケースに押しつけて、そのプラグカバーを確実に固定することができる。
【００２７】
請求項３記載の発明によれば、プラグカバーを開動させた状態でバッテリーカバーをバッテリーケースの上面開口部に嵌合させると、該バッテリーカバーがプラグカバーの延長部に当接されるので、そのプラグカバーの閉め忘れを確実に防ぐことができる。
【図面の簡単な説明】
【図１】本発明の実施の一形態である防爆型フォークリフトの要部の正面図である。
【図２】同プラグカバーを開動させた状態の斜視図である。
【図３】図１のＡ−Ａ矢視図である。
【図４】図１のＢ−Ｂ矢視図である。
【図５】図１のＣ−Ｃ矢視図である。
【図６】図１のＤ−Ｄ矢視図である。
【図７】同プラグカバーを開動させた状態の要部の一部切り欠き正面図である。
【図８】同錠締装置付近の側面図である。
【図９】同錠締装置付近の平面図である。
【図１０】同錠締装置の変形例を示す正面図である。
【図１１】図１０のＥ−Ｅ矢視図である。
【図１２】従来の防爆型フォークリフトを示す側面図である。
【符号の説明】
１      車体
７      バッテリーケース
７ａ    バッテリーケースの上面開口部
８      バッテリーカバー
９Ａ    通電用プラグ
９Ｂ    充電用プラグ
１０    プラグカバー
１２    ヒンジ
１４    錠締装置
１６    プラグカバーの他側縁上部
１７    弾性材
１９    係止具
２０    係合枠
２１    ボルト
２５    ケース
２６    回転軸
２７    ロック片
２８    被係合片
２９    操作孔
３０    操作工具
【図１】
0003589906.tif 000002
【図２】
0003589906.tif 000003
【図３】
0003589906.tif 000004
【図４】
0003589906.tif 000005
【図５】
0003589906.tif 000006
【図６】
0003589906.tif 000007
【図７】
0003589906.tif 000008
【図８】
0003589906.tif 000009
【図９】
0003589906.tif 000010
【図１０】
0003589906.tif 000011
【図１１】
0003589906.tif 000012
【図１２】
0003589906.tif 000013